(57)【要約】  【課題】  クライアント装置からの要求に応じて、サーバ装置からコンテンツをダウンロードする通信システムにおいては、クライアント・サーバ間で予め信頼関係があることが前提になり、通信システムの利用範囲を制限するという課題が生じている。  【解決手段】  本発明は、かかる実情に鑑み、携帯端末装置の操作によって出力される赤外線信号に応じて、携帯端末認証装置にて携帯端末装置を認証させるための通信を行い、携帯端末認証装置からの認証結果を受けて、コンテンツ利用装置において、コンテンツの利用・実行が可能となる通信システムを提案する。【選択図】            図２
2007013832.tif 000002
【特許請求の範囲】
【請求項１】
携帯端末装置と、コンテンツ利用装置と、コンテンツサーバ装置と、携帯端末認証装置と、からなる通信システムであって、
携帯端末装置は、
操作部と、
操作部の操作に応じて赤外線信号を出力する赤外線信号出力部と、
赤外線信号出力部から出力された赤外線信号に応じて自身を外部にて認証させるための通信を行なう携帯端末装置インターネット通信部と、を有し、
コンテンツ利用装置は、
携帯端末装置から出力される赤外線信号を受信する赤外線信号受信部と、
前記外部認証と、赤外線信号受信部にて受信する赤外線信号との両者に応じてコンテンツを実行するための通信をするコンテンツ利用装置インターネット通信部と、
コンテンツ利用装置インターネット通信部を介して行なわれる通信に応じてコンテンツを実行するコンテンツ実行部と、を有し、
コンテンツサーバ装置は、
コンテンツを保持するコンテンツ保持部と、
携帯端末装置の外部認証に応じてコンテンツ保持部に保持されているコンテンツをコンテンツ利用装置にて利用可能にするための通信を行なうコンテンツサーバ装置インターネット通信部と、
を有し、
携帯端末認証装置は、
携帯端末装置との通信を介して携帯端末装置を認証する認証部と、
認証部での認証結果を外部に出力するための携帯端末認証装置インターネット通信部と、を有する通信システム。
【請求項２】
請求項１に記載の携帯端末装置。
【請求項３】
請求項１に記載のコンテンツ利用装置。
【請求項４】
請求項１に記載のコンテンツサーバ装置。
【請求項５】
請求項１に記載の携帯端末認証装置。
【請求項６】
携帯端末装置と、コンテンツ利用装置と、コンテンツを保持するコンテンツサーバ装置と、携帯端末認証装置と、からなる通信システムにおける通信方法であって、
携帯端末装置は、
操作ステップと、
操作ステップにおける操作に応じて赤外線信号を出力する赤外線信号出力ステップと、
赤外線信号出力ステップから出力された赤外線信号に応じて自身を外部にて認証させるための通信を行なう携帯端末装置インターネット通信ステップと、を有し、
コンテンツ利用装置は、
携帯端末装置から出力される赤外線信号を受信する赤外線信号受信ステップと、
前記外部認証と、赤外線信号受信部にて受信する赤外線信号との両者に応じてコンテンツを実行するための通信をするコンテンツ利用装置インターネット通信ステップと、
コンテンツ利用装置インターネット通信ステップを介して行なわれる通信に応じてコンテンツを実行するコンテンツ実行ステップと、を有し、
コンテンツサーバ装置は、
携帯端末装置の外部認証に応じて保持されているコンテンツをコンテンツ利用装置にて利用可能にするための通信を行なうコンテンツサーバ装置インターネット通信ステップ
を有し、
携帯端末認証装置は、
携帯端末装置との通信を介して携帯端末装置を認証する認証ステップと、
認証ステップにおける認証結果を外部に出力するための携帯端末認証装置インターネット通信ステップと、を有する通信方法。
【発明の詳細な説明】
【技術分野】
【０００１】
本発明は、赤外線を用いた通信システムに関するものである。
【背景技術】
【０００２】
クライアント装置からの要求に応じて、サーバ装置からコンテンツをダウンロードする通信システムにおいては、クライアント・サーバ間で予め信頼関係があることが前提になっている。また、ダウンロードするコンテンツのプロファイル情報を基に、目的のデータを取得するための通信経路を決定することで、通信費用やダウンロード処理時間の削減を図ることを目的とするシステムについてはすでに提案されている。（例えば、特許文献１参照）。
【特許文献１】特開２００５−１０８０５７号公報
【発明の開示】
【発明が解決しようとする課題】
【０００３】
しかしながら、クライアント・サーバ間で予め信頼関係があることが前提となる手法においては、コンテンツのダウンロード要求を行う装置と、コンテンツを再生等して利用する装置とを別個のものとすることが難しく、自ずと通信システムの利用範囲を制限する要因となっている。
【０００４】
また、プロファイル情報を基に、目的のデータを取得するための通信経路を決定する手法においては、コンテンツのダウンロードの前にプロファイル情報を解析する必要があり、処理の遅延や、システムの負荷に繋がるという課題がある。
【課題を解決するための手段】
【０００５】
本発明は、かかる実情に鑑み、携帯端末装置と、コンテンツ利用装置と、コンテンツサーバ装置と、携帯端末認証装置と、からなる通信システムを提案するものである。携帯端末装置の操作によって出力される赤外線信号に応じて、携帯端末認証装置にて携帯端末装置を認証させるための通信を行い、携帯端末認証装置からの認証結果を受けて、コンテンツ利用装置と、コンテンツサーバ装置において、コンテンツの利用・実行が可能となることに特徴を有する。
【発明の効果】
【０００６】
以上、説明したように本件発明のいずれか一又は二以上の発明に係る通信システムは、コンテンツの利用要求と、認証要求との経路を別にすることで、コンテンツの利用を要求する相手にのみコンテンツを利用させることができ、合理的、かつ、信頼性、安全性の高い通信システムである。加えて、コンテンツをダウンロードさせるコンテンツサーバ装置と、コンテンツを利用するコンテンツ利用装置との間で信頼関係がなくても、認証に応じて信頼性を維持できる。また、インターネット網を介して通信を行うことで、汎用的な装置を用いて通信システムを構築することができる。
【発明を実施するための最良の形態】
【０００７】
以下に、各発明を実施するための最良の形態を説明する。なお、本発明はこれら実施の形態に何ら限定されるものではなく、その要旨を逸脱しない範囲において、種々なる態様で実施しうる。
【０００８】
<<実施形態>>
【０００９】
<概要>  本実施形態は、携帯端末装置と、コンテンツ利用装置と、コンテンツサーバ装置と、携帯端末認証装置と、からなる通信システムである。携帯端末装置の操作によって出力される赤外線信号に応じて、携帯端末認証装置にて携帯端末装置を認証させるための通信を行い、携帯端末認証装置からの認証結果を受けて、コンテンツ利用装置と、コンテンツサーバ装置において、コンテンツの利用・実行が可能となることに特徴を有する。
【００１０】
図１は、本実施形態の概念の一例を示すものである。本実施形態の通信システムを構成する携帯端末装置と、コンテンツ利用装置と、コンテンツサーバ装置と、携帯端末認証装置との相関関係を示した。まず、利用者が携帯端末装置を操作することで、赤外線信号が出力される。赤外線信号が出力されることにより、携帯端末装置を携帯端末認証装置にて認証させるためにインターネット網を介した通信が開始される。またこの赤外線信号は、コンテンツ利用装置にて受信され、先の認証の結果とともに利用されることで、コンテンツを実行するためにインターネット網を介した通信が行われる。また、コンテンツサーバ装置においては、コンテンツを保持・蓄積しており、先の認証に応じて、このコンテンツをコンテンツ利用装置にて利用可能にするためにインターネット網を介した通信が行われる。一方、携帯端末認証装置においては、携帯端末装置との通信を介して携帯端末装置を認証する。具体的には、携帯端末装置の利用者がコンテンツを利用する正当な権限を有するか否か、あるいは、課金が完了したか（するか）否かなどの判断が行われる。この認証結果は、コンテンツ利用装置や、コンテンツサーバ装置に対して出力される。
【００１１】
<構成>  本実施形態での機能ブロックの一例を図２に示した。  図２に示す本実施形態の「通信システム」（０２００）は、「携帯端末装置」（０２１０）と、「コンテンツ利用装置」（０２２０）と、「コンテンツサーバ装置」（０２３０）と、「携帯端末認証装置」（０２４０）と、からなる。携帯端末装置（０２１０）は、「操作部」（０２１１）と、「赤外線信号出力部」（０２１２）と、「携帯端末装置インターネット通信部」（０２１３）と、を有する。コンテンツ利用装置（０２２０）は、「赤外線信号受信部」（０２２１）と、「コンテンツ利用装置インターネット通信部」（０２２２）と、「コンテンツ実行部」（０２２３）と、を有する。また、コンテンツサーバ装置（０２３０）は、「コンテンツ保持部」（０２３１）と、「コンテンツサーバ装置インターネット通信部」（０２３２）と、を有し、携帯端末認証装置（０２４０）は、「認証部」（０２４１）と、「携帯端末認証装置インターネット通信部」（０２４２）と、を有する。
【００１２】
「携帯端末装置」（０２１０）は、携帯型の電子機器一般が広く該当し、具体的には、携帯電話、ＰＨＳ、ＰＤＡ、ノートＰＣなどが例示できる。携帯端末装置（０２１０）は、「操作部」（０２１１）と、「赤外線信号出力部」（０２１２）と、「携帯端末装置インターネット通信部」（０２１３）と、を有する。
【００１３】
「操作部」（０２１１）は、利用者の操作による入力信号を受け付ける。利用者の操作は、ボタン・キーの操作の他、音声入力などが含まれる場合がある。操作によって、利用したいコンテンツなどの選択が可能となる。
【００１４】
「赤外線信号出力部」（０２１２）は、操作部（０２１１）の操作に応じて赤外線信号を出力する。特定の操作に基づいて、赤外線信号がコンテンツ利用装置に対して出力される。赤外線信号には、操作部にて選択されたコンテンツを識別する情報などが含まれる。赤外線は、主として携帯端末装置からコンテンツ利用装置に対する一方向の送信を想定したものである。
【００１５】
「携帯端末装置インターネット通信部」（０２１３）は、赤外線信号出力部（０２１２）から出力された赤外線信号に応じて自身を外部にて認証させるための通信を行なう。認証させるための通信とは、携帯端末認証装置に対する認証要求の送信などであり、これはインターネット網を介して行われることが想定される。認証要求には、利用者が選択したコンテンツを利用する正当な権限を有するか否か、課金処理の実行が可能か否かなどの認証を要求するものである。これらの認証を可能とするために、利用者を識別する情報などが含まれうる。
【００１６】
「コンテンツ利用装置」（０２２０）は、コンテンツを利用（再生、実行など）可能な電子機器一般が広く該当し、具体的には、デジタルＴＶ、ＰＣ、ＳＴＢなどが例示できる。コンテンツ利用装置（０２２０）は、「赤外線信号受信部」（０２２１）と、「コンテンツ利用装置インターネット通信部」（０２２２）と、「コンテンツ実行部」（０２２３）と、を有する。
【００１７】
「赤外線信号受信部」（０２２１）は、携帯端末装置から出力される赤外線信号を受信する。受信した赤外線信号には、コンテンツの実行命令（例えば、選択したコンテンツの再生開始、選択したコンテンツのダウンロード開始等）などが含まれている場合がある。
【００１８】
「コンテンツ利用装置インターネット通信部」（０２２２）は、前記外部認証と、赤外線信号受信部（０２２１）にて受信する赤外線信号との両者に応じてコンテンツを実行するための通信をする。外部認証は、携帯端末認証装置による携帯端末装置の認証結果などが該当する。利用者によるコンテンツの利用が可能であるとの認証結果の場合には、赤外線信号に応じてコンテンツを実行するための通信をする。コンテンツを実行するための通信とは、インターネット網を介して、コンテンツのダウンロードや、ストリーミング再生などを実行するために実行要求を出力することなどが該当する。
【００１９】
「コンテンツ実行部」（０２２３）は、コンテンツ利用装置インターネット通信部（０２２２）を介して行なわれる通信に応じてコンテンツを実行する。コンテンツ利用装置インターネット通信部にて行われた実行要求に基づいて、後述するコンテンツサーバ装置から、所定のコンテンツが利用可能となった場合に、このコンテンツを再生等して実行することが想定される。
【００２０】
「コンテンツサーバ装置」（０２３０）は、コンテンツを保持するサーバ装置が該当する。また、コンテンツサーバ装置（０２３０）は、「コンテンツ保持部」（０２３１）と、「コンテンツサーバ装置インターネット通信部」（０２３２）と、を有する。
【００２１】
「コンテンツ保持部」（０２３１）は、コンテンツを保持する。コンテンツは、画像、映像からなるものの他、プログラムなどが該当する。コンテンツサーバ装置のＨＤＤなどに格納されていることが想定される。
【００２２】
「コンテンツサーバ装置インターネット通信部」（０２３２）は、携帯端末装置の外部認証に応じてコンテンツ保持部（０２３１）に保持されているコンテンツをコンテンツ利用装置にて利用可能にするための通信を行なう。利用者によるコンテンツの利用が可能であるとの認証結果の場合には、保持されているコンテンツをコンテンツ利用装置にて利用可能にするための通信を行なう。保持されているコンテンツをコンテンツ利用装置にて利用可能にするための通信とは、コンテンツ自体を送信（一括送信、あるいは、ストリーミング再生に対応した送信）する処理や、コンテンツが暗号化されている場合はこれを復号化できる鍵や、パスワードを送信する処理などが該当する。
【００２３】
「携帯端末認証装置」（０２４０）は、携帯端末装置や、その利用者がコンテンツを利用可能な権限を有するか否か、あるいは、課金処理の実行が可能か否かなどを認証するための装置である。携帯端末認証装置（０２４０）は、「認証部」（０２４１）と、「携帯端末認証装置インターネット通信部」（０２４２）と、を有する。
【００２４】
「認証部」（０２４１）は、携帯端末装置との通信を介して携帯端末装置を認証する。本システムを利用者が利用するのに先立って、利用者は携帯端末認証装置に登録を行い、正当な権限を有しておくことが必要となる。その後、携帯端末認証装置は、携帯端末装置からインターネット網を介して送信される利用者の識別情報などを含む認証要求を受けて、認証処理を行い、利用者がコンテンツを利用する正当な権限を有するか否か、あるいは、課金処理の実行が可能か否かなどを判定することになる。
【００２５】
「携帯端末認証装置インターネット通信部」（０２４２）は、認証部（０２４１）での認証結果を外部に出力するための処理を行う。認証結果を出力する対象としては、コンテンツ利用装置や、コンテンツサーバ装置が該当する。この場合も、インターネット網を介して通信が行われることが想定される。
【００２６】
<ハードウエア構成>  本件発明における各装置のハードウエア構成の一例を図３に示した。本件発明の構成要素は、ハードウエア、ソフトウエア、ハードウエアとソフトウエアの両者、のいずれかによって構成される。例えば、これらを実現する一例として、ＣＰＵ、メモリ（ＤＲＡＭ、ＲＯＭ）、バス、Ｉ／Ｏなどから構成されるハードウエアと、これらのハードウエア上にて実行可能なソフトウエアを挙げることができる。具体的には、メモリ上に展開されたプログラムを順次実行することで、メモリ上のデータや、Ｉ／Ｏを介して入力されるデータの加工、蓄積、出力などにより構成要素である各部の機能が実現される。例えば、要求、認証結果などの各情報は、Ｉ／Ｏを介して他の装置との送受信が可能である。また、コンテンツなどの保持は、Ｉ／Ｏを介してＨＤＤに蓄積されている場合が想定される。
【００２７】
<実施例１>  図４は、本通信システムにおけるデータのやり取りの一例を示したものである。まず、利用者が携帯端末装置を操作することで、赤外線信号が出力される（１）。赤外線信号が出力されることにより、携帯端末装置を携帯端末認証装置にて認証させるために携帯端末装置から認証要求が出力され、インターネット網を介して携帯端末認証装置にて受け付けられる（２）。携帯端末認証装置においては、認証処理を行い、認証結果を外部に出力する。認証結果は、インターネット網を介してコンテンツサーバ装置が受信する（３）。コンテンツサーバ装置では、この認証に応じて、保持しているコンテンツをコンテンツ利用装置にて利用可能にするための通信が行われる（４）さらに、コンテンツ利用装置においても、コンテンツを実行するための通信が行われる（５）。最後に、コンテンツ利用装置にてコンテンツの実行が可能となる（６）。
【００２８】
<実施例１：処理の流れ>  図５は、実施例１の通信システムの処理の流れの一例を示したものである。本通信システムにおける通信方法においては、まず、携帯端末装置は、操作に応じて赤外線信号を出力し（赤外線信号出力ステップ  Ｓ０５０１）、コンテンツ利用装置は、赤外線信号を受信する（赤外線信号受信ステップ  Ｓ０５０２）。また、携帯端末装置は、出力された赤外線信号に応じて、携帯端末装置を外部にて認証させるための通信を行う（携帯端末装置インターネット通信ステップ  Ｓ０５０３）。次に、携帯端末認証装置は、携帯端末装置との通信を介して携帯端末装置を認証し（認証ステップ  Ｓ０５０４）、認証結果を外部に出力する（携帯端末認証装置インターネット通信ステップ  Ｓ０５０５）。さらに、コンテンツサーバ装置は、外部認証の結果を受信し（コンテンツサーバ装置認証結果受信ステップ  Ｓ０５０６）、この外部認証に応じて、保持しているコンテンツをコンテンツ利用装置にて利用可能にするための通信を行う（コンテンツサーバ装置インターネット通信ステップ  Ｓ０５０７）。その次に、コンテンツ利用装置は、外部認証と先の赤外線信号との両者に応じてコンテンツを実行するための通信を行う（コンテンツ利用装置インターネット通信ステップ  Ｓ０５０８）。最後に、コンテンツ利用装置は、コンテンツを実行する（コンテンツ実行ステップ  Ｓ０５０９）。
【００２９】
以上の処理は、計算機に実行させるためのプログラムで実行することができ、また、このプログラムを計算機によって読取り可能な記録媒体に記録することができる。（本明細書の全体を通して同様である。）
【００３０】
<実施例２>  図６は、本通信システムにおけるデータのやり取りの別の例を示したものである。まず、利用者が携帯端末装置を操作することで、赤外線信号が出力される（１）。赤外線信号が出力されることにより、携帯端末装置を携帯端末認証装置にて認証させるために携帯端末装置から認証要求が出力され、インターネット網を介して携帯端末認証装置にて受け付けられる（２）。携帯端末認証装置においては、認証処理を行い、認証結果を外部に出力する。認証結果は、インターネット網を介して、コンテンツ利用装置を経由し、コンテンツサーバ装置が受信することが想定される（３）。コンテンツサーバ装置では、この認証に応じて、保持しているコンテンツをコンテンツ利用装置にて利用可能にするための通信が行われる（４）。その次に、コンテンツ利用装置においても、外部認証と赤外線信号との両者に応じてコンテンツを実行するための通信が行われる（５）。最後に、コンテンツ利用装置は、コンテンツを実行する（６）。
【００３１】
<実施例２：処理の流れ>  図７は、実施例２の通信システムの処理の流れの一例を示したものである。本通信システムにおける通信方法においては、まず、携帯端末装置は、操作に応じて赤外線信号を出力し（赤外線信号出力ステップ  Ｓ０７０１）、コンテンツ利用装置は、赤外線信号を受信する（赤外線信号受信ステップ  Ｓ０７０２）。また、携帯端末装置は、出力された赤外線信号に応じて、携帯端末装置を外部にて認証させるための通信を行う（携帯端末装置インターネット通信ステップ  Ｓ０７０３）。次に、携帯端末認証装置は、携帯端末装置との通信を介して携帯端末装置を認証し（認証ステップ  Ｓ０７０４）、認証結果を外部に出力する（携帯端末認証装置インターネット通信ステップ  Ｓ０７０５）。その次に、コンテンツ利用装置は、外部認証の結果を受信し、コンテンツサーバ装置に送信する（コンテンツ利用装置認証結果転送ステップ  Ｓ０７０６）。さらに、コンテンツサーバ装置は、外部認証の結果を受信し（コンテンツサーバ装置認証結果受信ステップ  Ｓ０７０７）、この外部認証に応じて、保持しているコンテンツをコンテンツ利用装置にて利用可能にするための通信を行う（コンテンツサーバ装置インターネット通信ステップ  Ｓ０７０８）。その次に、コンテンツ利用装置は、外部認証と赤外線信号との両者に応じてコンテンツを実行するための通信を行う（コンテンツ利用装置インターネット通信ステップ  Ｓ０７０９）。最後に、コンテンツ利用装置は、コンテンツを実行する（コンテンツ実行ステップ  Ｓ０７１０）。
【００３２】
<実施例３>  図８は、本通信システムにおけるデータのやり取りの別の例を示したものである。まず、利用者が携帯端末装置を操作することで、赤外線信号が出力される（１）。赤外線信号が出力されることにより、携帯端末装置を携帯端末認証装置にて認証させるために携帯端末装置から外部認証として認証要求が出力される（２）。この外部認証は、インターネット網を介して携帯端末認証装置にて受け付けられる。携帯端末認証装置においては、認証処理を行い、認証結果を外部に出力する。このとき認証結果は、インターネット網を介して、携帯端末装置を経由し、さらにコンテンツサーバ装置において受け付けられる（３）。コンテンツサーバ装置では、この外部認証に応じて、保持しているコンテンツをコンテンツ利用装置にて利用可能にするための通信が行われる（４）。次に、コンテンツ利用装置は、外部認証と先の赤外線信号とに応じて、コンテンツを実行するための通信を行う（５）。最終的に、コンテンツ利用装置は、コンテンツを実行する（６）。
【００３３】
<実施例３：処理の流れ>  図９は、実施例３の通信システムの処理の流れの一例を示したものである。本通信システムにおける通信方法においては、まず、携帯端末装置は、操作に応じて赤外線信号を出力し（赤外線信号出力ステップ  Ｓ０９０１）、コンテンツ利用装置は、赤外線信号を受信する（赤外線信号受信ステップ  Ｓ０９０２）。また、携帯端末装置は、出力された赤外線信号に応じて、携帯端末装置を外部にて認証させるための通信を行う（携帯端末装置インターネット通信ステップ  Ｓ０９０３）。次に、携帯端末認証装置においては、携帯端末装置との通信を介して携帯端末装置を認証し（認証ステップ  Ｓ０９０４）、認証結果を外部に出力する（携帯端末認証装置インターネット通信ステップ  Ｓ０９０５）。その次に、携帯端末装置は、外部認証の結果を受信し、コンテンツサーバ装置に送信する（携帯端末装置認証結果転送ステップ  Ｓ０９０６）。さらに、コンテンツサーバ装置は、外部認証の結果を受信し（コンテンツサーバ装置認証結果受信ステップ  Ｓ０９０７）、この外部認証に応じて、保持しているコンテンツをコンテンツ利用装置にて利用可能にするための通信を行う（コンテンツサーバ装置インターネット通信ステップ  Ｓ０９０８）。その次に、コンテンツ利用装置は、外部認証と赤外線信号との両者に応じてコンテンツを実行するための通信を行う（コンテンツ利用装置インターネット通信ステップ  Ｓ０９０９）。最後に、コンテンツ利用装置は、コンテンツを実行する（コンテンツ実行ステップ  Ｓ０９１０）。
【００３４】
<効果>  本発明は、携帯端末装置と、コンテンツ利用装置と、コンテンツサーバ装置と、携帯端末認証装置と、からなる通信システムである。携帯端末装置の操作によって出力される赤外線信号に応じて、携帯端末認証装置にて携帯端末装置を認証させるための通信を行い、携帯端末認証装置からの認証結果を受けて、コンテンツ利用装置と、コンテンツサーバ装置において、コンテンツの利用・実行が可能となることに特徴を有する。コンテンツの利用要求と、認証要求との経路を別にすることで、コンテンツの利用を要求する相手にのみコンテンツを利用させることができ、合理的、かつ、信頼性、安全性の高い通信システムを実現できる。加えて、コンテンツをダウンロードさせるコンテンツサーバ装置と、コンテンツを利用するコンテンツ利用装置との間で信頼関係がなくても、認証に応じて信頼性を維持できる。また、インターネット網を介して通信を行うことで、汎用的な装置を用いて通信システムを構築することができる。
【図面の簡単な説明】
【００３５】
【図１】実施形態を説明するための概念図
【図２】実施形態を説明するための機能ブロック図
【図３】本発明を説明するためのハードウエア構成図
【図４】実施例１を説明するための概念図
【図５】実施例１における処理の流れを説明するためのフロー
【図６】実施例２を説明するための概念図
【図７】実施例２における処理の流れを説明するためのフロー
【図８】実施例３を説明するための概念図
【図９】実施例３における処理の流れを説明するためのフロー
【符号の説明】
【００３６】
０２００    通信システム
０２１０    携帯端末装置
０２１１    操作部
０２１２    赤外線信号出力部
０２１３    携帯端末装置インターネット通信部
０２２０    コンテンツ利用装置
０２２１    赤外線信号受信部
０２２２    コンテンツ利用装置インターネット通信部
０２２３    コンテンツ実行部
０２３０    コンテンツサーバ装置
０２３１    コンテンツ保持部
０２３２    コンテンツサーバ装置インターネット通信部
０２４０    携帯端末認証装置
０２４１    認証部
０２４２    携帯端末認証装置インターネット通信部
【図１】
2007013832.tif 000003
【図２】
2007013832.tif 000004
【図３】
2007013832.tif 000005
【図４】
2007013832.tif 000006
【図５】
2007013832.tif 000007
【図６】
2007013832.tif 000008
【図７】
2007013832.tif 000009
【図８】
2007013832.tif 000010
【図９】
2007013832.tif 000011